(57)【要約】【課題】アドレスピットの反射率がデータ部と差異を持つことを利用して、より高レベルな正確性と高速性を持った、アドレスピットを有する光ディスクの判別装置及びその方法を提供するものである。【解決手段】光ディスクにレーザーを照射させ反射光を受光する光ピックアップ、光ピックアップが受光した反射光から全反射加算信号を発生させる全反射加算信号発生手段、全反射加算信号のピーク値とボトム値を検出する全反射加算信号ピーク・ボトム検出手段、全反射加算信号のピーク値とボトム値からアドレスピットの有無を検出するアドレスピット検出手段、アドレスピットの有無から光ディスクの種類を判別するディスク判別手段とで構成される。この構成により、従来の方法で判別が困難であった低反射の光ディスク群からアドレスピットを有する光ディスクをより正確にかつ高速で判別可能な装置及びその方法が得られる。【選択図】　図１
2004046977.tif 000002
【特許請求の範囲】
【請求項１】
光ディスクにレーザーを照射させ反射光を受光する光ピックアップと、該光ピックアップが受光した反射光から全反射加算信号を発生させる全反射加算信号発生手段と、該全反射加算信号発生手段の出力信号のピーク値とボトム値を検出する全反射加算信号ピーク・ボトム検出手段とを備え、該全反射加算信号ピーク・ボトム検出手段の出力からアドレスピットの有無を検出し、アドレスピットの有無から光ディスクの種類を判別することを特徴とする光ディスクの判別装置。
【請求項２】
光ディスクにレーザーを照射させ反射光を受光する光ピックアップと、該光ピックアップが受光した反射光から全反射加算信号を発生させる全反射加算信号発生手段と、該全反射加算信号発生手段の出力を２値化する２値化手段とを備え、該２値化手段の出力の回数または間隔からアドレスピットの有無を検出し、アドレスピットの有無から光ディスクの種類を判別することを特徴とする光ディスクの判別装置。
【発明の詳細な説明】
【０００１】
【発明の属する技術分野】
本発明は、アドレスピットを有する光ディスク、より具体的にはＤＶＤ−ＲＡＭ等、デ−タ記録トラックに対しアドレスピットを設けられた光ディスク記録媒体のディスク判別に関するものである。
【０００２】
【従来の技術】
近年、画像等の大容量の情報をデジタル記録する媒体として注目されているものに光ディスクがある。光ディスクはランダムアクセス性、媒体交換性、収納性等において総合的に他の磁気テ−プや磁気ディスク等の媒体に比べ優れている。こうした光ディスクの中で、近年相変化技術を利用した書き換え可能な光ディスクであるＤＶＤ−ＲＡＭが存在する。
【０００３】
従来、ＤＶＤ−ＲＡＭの判別装置及びその方法は特開２０００−２８５５８２号に記載されたものが知られている。図６は従来のＤＶＤ−ＲＡＭの判別装置を示すブロック図である。図６において、光ディスク１０７を一つの光ピックアップ１０８で再生できる光ディスク再生装置において、ロ−ドされた光ディスク１０７から読み出したＲＦ信号を増幅するＲＦアンプ１０９と、前記ＲＦアンプからエンベロ−プ信号を検出するＲＦエンベロ−プ発生手段１１０と、オフ−トラック状態で前記ＲＦエンベロ−プ発生手段１１０を通じて検出されたエンベロ−プ信号の振幅を検出するエンベロ−プ検出手段１１１、検出された振幅を利用してディスク種類を判別するディスク判別手段１１２で構成されている。
【０００４】
次に図７を用いて、前記判別装置で検出するＲＦ信号の波形と判別方法を説明する。ＲＦ信号（ａ）、（ｂ）、（ｃ）はそれぞれフォーカス引き込み後でオフトラック状態のＣＤ−ＲＯＭ、ＤＶＤ−ＲＯＭ、ＤＶＤ−ＲＡＭのものである。
また、それぞれの振幅Ｅ１、Ｅ２、Ｅ３がエンベロ−プ信号となる。エンベロ−プ信号の差はＣＤがＤＶＤ−ＲＯＭに比べて相対的にトラックピッチが大きいためにＤＶＤ−ＲＯＭに比べてＲＦ信号の振幅変化が大きく、ＤＶＤ−ＲＡＭはＲＦ信号の振幅変化がほとんどないことに起因する。このエンベロ−プ信号の差に着目し、各種ディスクが判別できるように第１・第２基準レベル設定する。ディスク起動時にフォ−カスを合焦点位置に引き込ませ、オフトラック状態時のエンベロ−プ信号が、第１基準レベルより高いディスクはＣＤ−ＲＯＭ、第１基準レベルより低く第２基準レベルより高いディスクはＤＶＤ−ＲＯＭ、第２基準レベルより低いディスクはＤＶＤ−ＲＡＭと判別することができる。
【０００５】
この他の従来の方法としては、フォーカスを引き込ませる前に、ピックアップを上下させることによってディスクを判別する方法が知られている。ディスクを回転させ、レーザーが点灯している状態で合焦点位置がディスクの記録面を横切るようにピックアップを上下させる。この時のディスクの全反射加算信号やＲＦ信号のエンベロープ信号を読み取り、その信号レベルによってディスクの種類を判別することができる。
【０００６】
【発明が解決しようとする課題】
しかしながら、近年は数多くの種類の光ディスクが市場に出回っており、特にＣＤ−ＲＷやＤＶＤ−ＲＷ等の相変化技術を利用した書き換え可能な光ディスクは概して反射光量が少なく、上記従来の技術ではＤＶＤ−ＲＡＭとの判別が困難である。起動時のディスク判別を誤ると、再起動に無駄な時間がかかり、場合によっては起動できない、もしくはディスクを傷つけるという不具合を引き起こす可能性がある。また、市場では起動時間の高速化のニーズがあり、このような判別の困難な光ディスクの判別装置においては、ディスク判別の正確性と高速化が必要とされている。
【０００７】
本発明は上記従来の問題点を解決するもので、ＤＶＤ−ＲＡＭディスクに固有のアドレスピットの反射率がデータ部と差異を持つことを利用して、より高レベルな正確性と高速性を持った、光ディスクの判別装置を提供するものである。
【０００８】
【課題を解決するための手段】
この課題を解決するために本発明の光ディスクの判別装置は、光ディスクにレーザーを照射させ反射光を受光する光ピックアップと、該光ピックアップが受光した反射光から全反射加算信号を発生させる全反射加算信号発生手段と、該全反射加算信号発生手段の出力信号からアドレスピットの有無を検出し、アドレスピットの有無から光ディスクの種類を判別することを特徴とする光ディスクの判別装置を構成したものである。この構成により、従来の装置で判別が困難であった低反射の光ディスク群からアドレスピットを有する光ディスクをより正確に、かつ高速で判別可能な判別装置が得られる。
【０００９】
【発明の実施の形態】
本発明の請求項１に記載の発明は、光ディスクにレーザーを照射させ反射光を受光する光ピックアップと、該光ピックアップが受光した反射光から全反射加算信号を発生させる全反射加算信号発生手段と、該全反射加算信号発生手段の出力信号のピーク値とボトム値を検出する全反射加算信号ピーク・ボトム検出手段とを備え、該全反射加算信号ピーク・ボトム検出手段の出力からアドレスピットの有無を検出し、アドレスピットの有無から光ディスクの種類を判別することを特徴とする光ディスクの判別装置であり、従来の判別法に比べて判別が困難であった低反射の光ディスク群からアドレスピットを有する光ディスクをより正確に、かつ高速で判別可能にする作用を有する。
【００１０】
請求項２に記載の発明は、光ディスクにレーザーを照射させ反射光を受光する光ピックアップと、該光ピックアップが受光した反射光から全反射加算信号を発生させる全反射加算信号発生手段と、該全反射加算信号発生手段の出力を２値化する２値化手段とを備え、該２値化手段の出力の回数または間隔からアドレスピットの有無を検出し、アドレスピットの有無から光ディスクの種類を判別することを特徴とする光ディスクの判別装置であり、請求項１の装置では判別が困難であったノイズを含んだ全反射加算信号からもアドレスピットを有する光ディスクをより正確に、かつ高速で判別可能にする作用を有する。
【００１１】
まず、ＤＶＤ−ＲＡＭディスクに固有のアドレスピットについて説明する。アドレスピットとは、通常ＣＡＰＡ（Ｃｏｍｐｌｉｍｅｎｔａｒｙ　Ａｌｌｏｃａｔｅｄ　Ｐｉｔ　Ａｄｄｒｅｓｓ）もしくはヘッダ部とも呼ばれ、データトラックにあらかじめ形成されたアドレス部をいう。ＤＶＤ−ＲＡＭディスクはセクタ−フォ−マット構造をとっており、図５のようにデータ部１０１と、アドレス部１０２に物理的に分離されている。デ−タ部は突形状のランド１０３と、溝形状のグル−ブ１０４から成り立っており、ランド１０３、あるいはグル−ブ１０４のトラックに沿って情報の記録が行われる。記録には相変化記録方式が用いられており、ビット情報を媒体材料の結晶／非結晶状態に対応させて記録し、結晶状態に応じて反射光量が変化することから情報の読み取りを行う。アドレス部はアドレスピット１０５で形成されており、回折により反射光量変化が得られることから記録情報の読み取りを行う。アドレスピット１０５は、ランド１０３、グル−ブ１０４のトラックの中間位置で交互に位置を変えて形成される。レーザースポットがランド１０３を走査する時と、グル−ブ１０４を走査する時とでは、アドレスピット１０５による回折の受け方が異なるため、これを検出してアドレスの位置判定，ランド・グル−ブ判定等に用いられる。以上の構成により、ＤＶＤ−ＲＡＭでは、ランダム記録・再生、未記録ディスクのデータ領域へのアクセス、データ書き換え時のデータロスの防止、及びデータトラックのセンター検出等を可能にしている。また、ＤＶＤ−ＲＡＭのアドレスピットはディスクが作成された時に記録され、それ以降は書き換え不能の領域である。ランドやグルーブのデータ部の相変化媒体材料とは違う材質を使っており、ＤＶＤ−ＲＯＭに近い材質で、反射率も高くなっている。そのためＤＶＤ−ＲＡＭを記録再生するには、アドレスピットでの高反射信号のオフセットをキャンセルする特殊な処理が必要である。これがＤＶＤ−ＲＡＭの互換性をなくしている要因の一つだが、本発明はこのアドレスピットの高反射率を利用する。
【００１２】
これに対して、ＤＶＤ−ＲＷでは、アドレスピットに代わるものとして、ＬＰＰ（Ｌａｎｄ　Ｐｒｅ　Ｐｉｔ）がある。ＤＶＤ‐ＲＷはランドとグルーブが交互に存在しており、データ信号はグルーブに記録されている。ＬＰＰは、データ信号がない、グルーブと同じ反射率を有するランドに記録されており、記録時にはアドレスピットと同様の働きをするが、ＤＶＤ−ＲＡＭディスクのアドレスピットと異なり、再生時は読まれない。
【００１３】
また、ＣＤ−ＲＷでは、ＡＴＩＰ（Ａｂｓｏｌｕｔｅ　Ｔｉｍｅ　ｉｎ　Ｐｒｅｇｒｏｏｖｅ）と呼ばれる方式を採用しており、データトラックの蛇行（ウォブル）に含まれる時間コード情報がアドレスに相当する。したがって、ＣＤ−ＲＷディスクには、ＤＶＤ−ＲＡＭディスクのアドレスピットに相当するようなアドレス領域がない。
【００１４】
以下本発明の実施の形態について、図１から図４を用いて説明する。
【００１５】
（実施の形態１）
図１は実施の形態１におけるアドレスピットを有する光ディスクの判別装置のブロック図である。図１に示す判別装置は、光ディスク１、前記光ディスクにレーザーを照射させ反射光を受光する光ピックアップ２、前記光ピックアップ２が受光した反射光から全反射加算信号を発生させる全反射加算信号発生手段３、前記全反射加算信号のピーク値とボトム値を検出する全反射加算信号ピーク・ボトム検出手段４、前記全反射加算信号のピーク値とボトム値からアドレスピットの有無を検出するアドレスピット検出手段５、アドレスピットの有無から光ディスク１の種類を判別するディスク判別手段６とで構成される。
【００１６】
以上のように構成された光ディスクの判別装置について、図２を用いてその動作について説明する。図２の（ａ）はＣＤやＤＶＤ−ＲＯＭ、ＤＶＤ‐ＲＷ等のアドレスピットを有しない光ディスクの全反射加算信号であり、図１の全反射加算信号発生手段３の出力がこれに相当する。この信号を全反射加算信号ピーク・ボトム検出手段４に入力し、全反射加算信号のピーク値とボトム値を検出する。
アドレスピット検出手段５はこのピーク値とボトム値の差分量（Ａ１）とアドレスピットの有無を判定する基準レベルと比較する。（ｂ）はＤＶＤ−ＲＡＭ等のアドレスピットを有する光ディスクの全反射加算信号であり、（ａ）と同様にピーク値とボトム値を検出して基準レベルと比較する。ピーク値とボトム値の差分量（Ａ２）が基準レベルを上回れば、アドレスピットを有する光ディスクと判別する。ディスク判別手段６は従来の方法で光ディスクの種類を判別し、アドレスピットの有無判別により、従来の判別法では誤判別しやすいＤＶＤ−ＲＡＭやＤＶＤ‐ＲＷ、ＣＤ−ＲＷ等の低反射の相変化ディスクからＤＶＤ−ＲＡＭを判別する。
【００１７】
以上のように本実施形態によれば、従来の判別法に比べて判別が困難であった低反射の相変化光ディスク群からアドレスピットを有する光ディスクをより正確に、かつ高速で判別可能にする作用を有する。
【００１８】
（実施の形態２）
図３は実施の形態２における光ディスクの判別装置のブロック図である。図３に示す判別装置は、光ディスク１、前記光ディスクにレーザーを照射させ反射光を受光する光ピックアップ２、前記光ピックアップ２が受光した反射光から全反射加算信号を発生させる全反射加算信号発生手段３、前記全反射加算信号を２値化する２値化手段７、前記２値化手段から発せられるショートパルスを検出するショートパルス検出手段８、検出された前記ショートパルスの回数や間隔からアドレスピットの有無を判別するアドレスピット判別手段９とで構成される。
【００１９】
以上のように構成された光ディスクの判別装置について、図４を用いて説明する。図４の（ｃ）は図２の（ｂ）と同様ＤＶＤ−ＲＡＭ等のアドレスピットを有する光ディスクの全反射加算信号であり、この信号を前記２値化手段７に入力し、アドレスピットを検出できるレベルで２値化する。（ｄ）は２値化されたショートパルス信号であり、この前記ショートパルス検出手段８、アドレスピット判別手段９に入力し、一定時間内におけるショートパルスの回数と間隔からアドレスピットの有無を判別する。（ｅ）はアドレスピットを有しない光ディスクにおいてランダムなノイズを含んだ全反射加算信号であり、（ｆ）は２値化されたショートパルス信号である。実施の形態１では、全反射加算信号がノイズを含んだ場合アドレスピットを有しない光ディスクであっても、アドレスピットを有した全反射加算信号と同様のピーク値を検出し、アドレスピット有りと誤判別する可能性がある。この実施の形態２では、アドレスピットを有する光ディスクにおける１周でのアドレスピットの個数と間隔からあらかじめアドレスピット有無の判定基準を設定しておき、ノイズをアドレスピットと判別することを防止することができる。
【００２０】
以上のように本実施形態によれば、実施の形態１に比べて誤判別しやすいノイズを含んだ全反射加算信号に対してより正確にアドレスピットを有する光ディスクを判別可能にする作用を有する。
【００２１】
なお、相変化型ではない光ディスク（ＤＶＤ−ＲＯＭ・ＣＤ−ＲＯＭ・ＤＶＤ−Ｒ・ＣＤ−Ｒなど）の場合には、本発明の全反射加算信号発生手段の出力は、ＤＶＤ−ＲＷ・ＣＤ−ＲＷと同様に針のピークを持たない信号になる。ただ、両者の反射量の明らかな違いで生じる、全反射加算信号発生手段の出力の大きな差から、相変化型ではない光ディスク群とＤＶＤ−ＲＷ・ＣＤ−ＲＷとを判別できる。
【００２２】
【発明の効果】
以上のように本発明によれば、従来に比べて判別が困難であったＤＶＤ−ＲＡＭやＤＶＤ‐ＲＷ、ＣＤ−ＲＷ等の低反射の相変化光ディスク群から、高反射率のアドレスピットを有するＤＶＤ−ＲＡＭの光ディスクをより正確に、かつ高速で判別可能にするという有利な効果が得られる。
【図面の簡単な説明】
【図１】実施の形態１に係わる光ディスクの判別装置のブロック図
【図２】実施の形態１に係わる光ディスクの判別装置の動作を説明する図
【図３】実施の形態２に係わる光ディスクの判別装置のブロック図
【図４】実施の形態２に係わる光ディスクの判別装置の動作を説明する図
【図５】ＤＶＤ−ＲＡＭの記録様式を説明するための図
【図６】従来の光ディスク判別装置のブロック図
【図７】従来の光ディスク判別装置の動作を説明する図
【符号の説明】
１　光ディスク
２　光ピックアップ
３　全反射加算信号発生手段
４　全反射加算信号ピーク・ボトム検出手段
５　アドレスピット検出手段
６　ディスク判別手段
７　２値化手段
８　ショートパルス検出手段
９　アドレスピット判別手段
１０１　データ部
１０２　アドレス部
１０３　ランド
１０４　グルーブ
１０５　アドレスピット
１０６　マーク
１０７　光ディスク
１０８　光ピックアップ
１０９　ＲＦアンプ
１１０　ＲＦエンベロープ発生手段
１１１　エンベロープ検出手段
１１２　ディスク判別手段
【図１】
2004046977.tif 000003
【図２】
2004046977.tif 000004
【図３】
2004046977.tif 000005
【図４】
2004046977.tif 000006
【図５】
2004046977.tif 000007
【図６】
2004046977.tif 000008
【図７】
2004046977.tif 000009